(57)【特許請求の範囲】
【請求項１】
一対の矩形サイドパネル部材（６Ａ），（６Ｂ）と、該一対の矩形サイドパネル部材（６Ａ），（６Ｂ）の外周縁間に配設され、かつそれらを車両の左右両側座席間に挿入できる寸法に平行に隔設する物入れ兼用スぺーサ部材（３），（４），（５）とを備え、前記一対の矩形サイドパネル部材（６Ａ），（６Ｂ）と前記スぺーサ部材（３），（４），（５）とは、連結手段（１３），（１６），（１８），（３０）により分解可能に組み付けられてなることを特徴とするコンソールボックスの構造。
【請求項２】
前記スぺーサ部材（３），（４），（５）は、前記一対の矩形サイドパネル部材（６Ａ），（６Ｂ）の上側水平縁部に橋渡し状に配設され、その上面中央部に形成された凹状の収納部（７）と、該収納部（７）を挟む両側部に形成された缶受部（１０）と、前記収納部（７）の開口部を開閉する蓋（２）とからなる上部スペーサ部材（３）と、前記一対の矩形サイドパネル部材（６Ａ），（６Ｂ）の起立縁部に橋渡し状に配設され、複数枚のＣＤ−ＲＯＭ等を斜めに挿入保持する複数の収納棚（１４）を段設した側部スペーサ部材（４）と、前記一対の矩形サイドパネル部材（６Ａ），（６Ｂ）の下側水平縁部に橋渡し状に配設され、その上面にティッシュボックス等を載置することができる皿状載置部を有する底部スペーサ部材（５）とからなることを特徴とする請求項１のコンソールボックスの構造。
【請求項３】
前記一対の矩形サイドパネル部材（６Ａ），（６Ｂ）に、車両の固定部に取り付けられる取付手段（１９）が係止される係合部（２０），（２７）が設けられてなることを特徴とする請求項１または２のコンソールボックス（１）の構造。
【発明の詳細な説明】
【０００１】
【発明の属する技術分野】
本発明は、車室内の左右両側の座席間に生じているセンター通路に仕切り物兼用として設備使用することができるコンソールボックスの構造に関するものである。
【０００２】
【従来の技術】
最近、車室内の左右両側の座席間に、車両の前後方向に行ききできるセンター通路を設けているウォークスルータイプの車両が出まわっている。
【０００３】
このようなセンター通路を有する車両にあっては、運転走行中に、例えば子供がはしゃいで後部座席と前方座席の間を行ききすると、運転者にとっては運転の邪魔となり、車の安全性を損なうばかりでなく、車の急発進・急停止や事故時に子供も危険に曝される。
【０００４】
そこで、こういった場合の安全性を高めるために上記ウォークスルータイプの車両にあっては、特に車の運転走行時には、上記センター通路を仕切る仕切り手段を設けて子供等が容易に往来することができないようにすることが考えられている。
【０００５】
その仕切り手段としては、例えばネットやシートの様な仕切り物を運転席と助手席間に張設して、センター通路での往来を阻止するようにしたものが知られている。
【０００６】
【発明が解決しようとする課題】
しかしながら、従来の仕切り物は、左右の座席間に張設すること、あるいはそれを座席から取り外したり、移設したりすることが難かしいものが多く、また仕切り以外の用途では使えないなどの問題点があった。
【０００７】
そこで本発明では、このような従来の問題点に着目してなされたもので、取り外しや移設が容易であって、取付時には物入れ、物置台等のコンソールボックスとして車内又は車外で利用することができ、また取り外し時にはキャンプ時等において野外での物入れ、物置台等として使用することができる実用性に優れたコンソールボックスの構造を提供することを目的とする。
【０００８】
【課題を解決するための手段】
上記目的を達成するために本発明の請求項１では、一対の矩形サイドパネル部材と、該一対の矩形サイドパネル部材の外周縁間に配設され、かつそれらを車両の左右両側座席間に挿入できる寸法に平行に隔設する物入れ兼用スぺーサ部材とを備え、前記一対の矩形サイドパネル部材と前記スぺーサ部材とは、連結手段により分解可能に組み付けられるコンソールボックスの構造であることを特徴としている。
【０００９】
また上記目的を達成するために本発明の請求項２では、請求項１において前記スぺーサ部材（３），（４），（５）は、前記一対の矩形サイドパネル部材（６Ａ），（６Ｂ）の上側水平縁部に橋渡し状に配設され、その上面中央部に形成された凹状の収納部（７）と、該収納部（７）を挟む両側部に形成された缶受部（１０）と、前記収納部（７）の開口部を開閉する蓋（２）とからなる上部スペーサ部材（３）と、前記一対の矩形サイドパネル部材（６Ａ），（６Ｂ）の起立縁部に橋渡し状に配設され、複数枚のＣＤ−ＲＯＭ等を斜めに挿入保持する複数の収納棚（１４）を段設した側部スペーサ部材（４）と、前記一対の矩形サイドパネル部材（６Ａ），（６Ｂ）の下側水平縁部に橋渡し状に配設され、その上面にティッシュボックス等を載置することができる皿状載置部を有する底部スペーサ部材（５）とからなることを特徴としている。
【００１０】
また上記目的を達成するために本発明の請求項３では、請求項１または２において前記一対の矩形サイドパネル部材に、車両の固定部に取り付けられる取付手段が係止される係合部が設けられてなるコンソールボックスの構造であることを特徴としている。
【００１１】
【発明の実施の形態】
図１はコンソールボックス１の全体組立図である。該コンソールボックス１は収納部７の開口部を開閉する蓋２を備えている上部スペーサ部材３、側部スペーサ部材４、底部スペーサ部材５、左右一対の矩形サイドパネル部材６Ａ，６Ｂから構成される。
【００１２】
以下に各部材の構成について説明を行なう。
【００１３】
図２によって上部スペーサ部材３の構成を説明する。該上部スペーサ部材３の上面の中央部には凹状に形成された収納部７があり、該収納部７の開口部には図３に示した蓋２が蝶番８を介して開閉自在に取りつけられている。収納部７の蓋２には、蝶番８と反対側の端縁に開閉のためのつまみ片９が取付けられている。上部スペーサ部材３の上面の収納部７を挟んで両脇には平面瓢箪型で凹状に形成されたそれぞれの缶受部１０が形成されており、これらの缶受部１０には、ジュース等の大径の缶及び小径の缶がガタなく収納できるように段１１が形成されている。また上部スペーサ部材３の両側面には、矩形サイドパネル部材６Ａ，６Ｂを位置決めするための水平方向に延びる突条１２が形成されている。さらに上部スペーサ部材３の両側面両端部には、矩形サイドパネル部材６Ａ，６Ｂをねじ止めするための埋込みナット１３が設けられている。
【００１４】
次に図４によって側部スペーサ部材４の構成を説明する。該側部スペーサ部材４の前面中央部には、図１（ａ）に示すようにＣＤ−ＲＯＭ１０１等を斜めに挿入保持する収納棚１４が約４５°の傾きをなして上下方向に数段設けられている。また、側部スペーサ部材４の上下方向の両側面には矩形サイドパネル部材６Ａ，６Ｂを位置決めする上下方向に延びる突条１５が形成されている。さらに側部スペーサ部材４の両側面中央部には、矩形サイドパネル部材６Ａ，６Ｂをねじ止めするための埋込みナット１６が設けられている。
【００１５】
次に図５によって底部スペーサ部材５の構成を説明する。該底部スペーサ部材５の上面全体は図８に示すように例えばティッシュボックス１０２等を載置することができる皿形状をなしている。また、底部スペーサ部材５の両側面には、矩形サイドパネル部材６Ａ，６Ｂを位置決めする水平方向に延びる突条１７が形成されている。さらに底部スペーサ部材５の両側面両端部には、矩形サイドパネル部材６Ａ，６Ｂをねじ止めするための埋込みナット１８が設けられている。また底部スペーサ部材５には組立てられたコンソールボックス１を移動不能に車体に結束する図７に示したワイヤー１９を通す孔２０を両側面両端部に設けられている。
【００１６】
図６に左右一対の矩形サイドパネル部材６Ａ，６Ｂを示す。該矩形サイドパネル部材６Ａ，６Ｂは、矩形にして中央部が開口されている環状の枠体であり両者同一形状である。該矩形サイドパネル部材６Ａ，６Ｂの裏面の上側水平縁部には、上部スペーサ部材３の両側面上側水平縁側に水平方向に延びる突条１２と嵌合して位置決めする溝２１と上部スペーサ部材３の両側面上部両端部に形成された埋込みナット１３に対応するネジ用穴２２が形成され、前側起立縁部には、側部スペーサ部材４の両側面起立縁側に上下方向に延びる突条１５と嵌合して位置決めする溝２３と側部スペーサ部材４の両側面側部中央部に形成された埋込みナット１６に対応するネジ用穴２４が形成され、下側水平縁部には、底部スペーサ部材５の両側面下側水平縁側に水平方向に延びる突条１７と嵌合して位置決めする溝２５と底部スペーサ部材５の両側面下部両端部に形成された埋込みナット１８に対応するネジ用穴２６が形成されている。また矩形サイドパネル部材６Ａ，６Ｂにはコンソールボックス１を移動不能に車体に結束するワイヤー１９を通す孔２７を両側面両端部に設ける。さらに、矩形サイドパネル部材６Ａ，６Ｂの裏面上部には、上部スペーサ部材３に小物入れの蓋２を取付けている蝶番８のビス（不図示）の頭の逃げ用の穴２８が形成されている。
【００１７】
次にコンソールボックス１の組立て手順について説明する。
【００１８】
左右いずれかの矩形サイドパネル部材、例えば左の矩形サイドパネル部材６Ａの裏面上部水平縁側の水平に延びる溝２１内に上部スペーサ部材３の側面の水平に延びる突条１２を嵌合させ、上部スペーサ部材３の側面上部両端部にある埋込みナット１３と矩形サイドパネル部材６Ａの上部両端部にあるネジ用穴２２との位置決めを行ないネジ３０を矩形サイドパネル部材６Ａの表面から挿入し、螺合して上部スペーサ部材３を矩形サイドパネル部材６Ａに取付ける。
【００１９】
次に、上記側部スペーサ部材４の取付けについて述べると、矩形サイドパネル部材６Ａの裏面起立縁側の上下に延びる溝２３に側部スペーサ部材４の側面の上下に延びる突条１５を嵌合させ、側部スペーサ部材４の側面中央部にある埋込みナット１６と矩形サイドパネル部材６Ａの前方中央部にあるネジ用穴２４との位置決めを行ないネジ３０を矩形サイドパネル部材６Ａの表面から挿入し、螺合して側部スペーサ部材４を矩形サイドパネル部材６Ａに取付ける。
【００２０】
次に上記上部スペーサ部材３と側部スペーサ部材４を取り付けた矩形サイドパネル部材６Ａの裏面下部水平縁の水平に延びる溝２５に底部スペーサ部材５の側面の水平に延びる突条１７を嵌合させ、底部スペーサ部材５の側面下部両端部にある埋込みナット１８と矩形サイドパネル部材６Ａの下部両端部にあるネジ用穴２６との位置決めを行ないネジ３０を矩形サイドパネル部材６Ａの表面から挿入し、螺合して底部スペーサ部材５を矩形サイドパネル部材６Ａに取付ける。
【００２１】
最後に右の矩形サイドパネル部材６Ｂの裏面の溝２１、溝２３、溝２５を一度に上部スペーサ部材３の突条１２、側部スペーサ部材４の突条１５、底部スペーサ部材５の突条１７に嵌合し、ネジ３０を用いてネジ穴２２、ネジ穴２４、ネジ穴２６を介して上部スペーサ部材３の埋込みナット１３、側部スペーサ部材４の埋込みナット１６、底部スペーサ部材５の埋込みナット１８と螺合し、右の矩形サイドパネル部材６Ｂを上部スペーサ部材３、側部スペーサ部材４、底部スペーサ部材５に取付ける。即ち、左右一対の矩形サイドパネル部材６Ａ，６Ｂに対して上部スペーサ部材３、側部スペーサ部材４、底部スペーサ部材５をそれぞれ橋渡し状に取付けてコンソールボックスを組立てることができる。
【００２２】
図７を用いてコンソールボックス１を車室内に固定する仕方を説明する。コンソールボックス１を左右両側の前方座席２０１，２０２間の適当な位置に設置する。ワイヤー１９を矩形サイドパネル部材６Ａ，６Ｂの下部両端部両側面の孔２７と底部スペーサ部材５の両端部両側面の孔２０に通す。ワイヤー１９の両端２８はそれぞれ例えば座席固定用ねじ２９を利用して共締めして固定する。
【００２３】
上記のようにコンソールボックス１を車両の左右両側の座席２０１，２０２間あるいは後部座席間通路内に設備固定することにより、運転走行時における子供等が車室内で往来することが規制され、これによって車両走行時の室内での安全性が保たれる。また、上記コンソールボックス１には、収納部７、缶受部１０、収納棚１４等が形成されていることから上記収納部７、収納棚１４等を小物又はＣＤ−ＲＯＭ１０１等カートリッジの収納部として使用できることで車室内の狭い空間を有効利用することができ、さらにはジュース缶１０３等を安定保持させることができる。
【００２４】
また図８で示すように、上記構成のコンソールボックスは車外でも使用することができ、例えばキャンプ等のとき、そのコンソールボックスを屋外で物置台として又はティッシュボックス１０２、ジュース缶１０３等の物入れ等として有効利用することができる。
【００２５】
なお、上記の実施の形態では、連結手段としてネジ（３０）並びに埋込みナット（１３），（１６），（１８）を用いたが、これに限るものではなく、例えばタッピングスクリュー、クリップ、取外し可能なリベット等を用いてもよい。
【００２６】
さらに、上記の実施の形態では、取付手段としてワイヤー（１９）を、また係合部として孔（２０），（２７）を用いたが、これに限るものではなく、取付手段としてはチェーン、紐、または金属製等のブラケットでもよい。
【００２７】
【発明の効果】
以上説明したように、この発明によれば上部スペーサ部材、側部スペーサ部材、底部スペーサ部材、一対の矩形サイドパネル部材を組合せてコンソールボックスを形成することができるので以下の効果を発揮する。
【００２８】
上記構成のコンソールボックスは組立、分解が容易であって、その分解時には上部スペーサ部材、側部スペーサ部材、底部スペーサ部材、２枚の矩形サイドパネル部材のそれぞれを容易に分解することができ、これら部材をまとめればスペースを取らず携帯すること又は車室内の狭いスペースを利用して、収納することも容易である。その組立形態では、そのコンソールボックスを車室内の左右両側の座席間に車両の前後方向に行ききできるセンター通路を設けているウォークスルータイプの車両の上記センター通路に設置固定すれば、そのセンター通路に子供等が、車両の前後方向に往来できないように仕切ることができるので、子供等が同乗する運転走行時等において安全性を高めることができる。
【００２９】
さらに上記構成のコンソールボックスは車体からの取り外しや屋外移設等が容易であるので車体取付時には物入れ、物置台等のコンソールボックスとして利用することができ、また取り外し時にはキャンプ時等において屋外での物入れ、物置台等として使用することができる。
【図面の簡単な説明】
【図１】  （ａ）コンソールボックス全体組立図の断面図。
（ｂ）コンソールボックス全体組立図の側面図。
【図２】  （ａ）上部スペーサ部材の表面図。
（ｂ）上部スペーサ部材の側面図。
（ｃ）上部スペーサ部材の図２（ａ）の２ｃ−２ｃ線断面図。
【図３】  （ａ）収納部の蓋の裏面図。
（ｂ）収納部の蓋の図３（ａ）の３ｂ−３ｂ線断面図。
【図４】  （ａ）側部スペーサ部材の表面図。
（ｂ）側部スペーサ部材の側面図。
（ｃ）側部スペーサ部材の図４（ａ）の４ｃ−４ｃ線断面図。
【図５】  （ａ）底部スペーサ部材の表面図。
（ｂ）底部スペーサ部材の側面図。
【図６】  （ａ）矩形サイドパネル部材の裏面図。
（ｂ）矩形サイドパネル部材の図６（ａ）の６ｂ−６ｂ線断面図。
（ｃ）矩形サイドパネル部材の図６（ａ）の６ｃ−６ｃ線断面図。
【図７】  コンソールボックス車載使用図。
【図８】  コンソールボックス屋外使用図。
【符号の説明】
１…コンソールボックス          ２…蓋
３…上部スペーサ部材            ４…側部スペーサ部材
５…底部スペーサ部材
６Ａ…矩形サイドパネル部材（左）
６Ｂ…矩形サイドパネル部材（右）
７…収納部
８…蝶番                        ９…つまみ片
１０…缶受部                    １１…段
１２…突条                      １３…埋込みナット
１４…収納棚                    １５…突条
１６…埋込みナット              １７…突条
１８…埋込みナット              １９…ワイヤー
２０…孔                        ２１…溝
２２…ネジ用穴                  ２３…溝
２４…ネジ用穴                  ２５…溝
２６…ネジ用穴                  ２７…孔
２８…穴                      ２９…座席固定用ねじ
３０…ネジ
【図１】
0003672673.tif 000002
【図２】
0003672673.tif 000003
【図３】
0003672673.tif 000004
【図４】
0003672673.tif 000005
【図５】
0003672673.tif 000006
【図６】
0003672673.tif 000007
【図７】
0003672673.tif 000008
【図８】
0003672673.tif 000009